(57)【要約】【課題】ブロック部が照明空間内にいる人の視界に入り難く美観を保つことができ、且つ既存の器具本体へ容易に対応することができること。【解決手段】照明器具１は、ランプ７を点灯する点灯装置２と点灯装置２を収納する器具本体３とブロック部４とソケット５と電源部６とを備える。ブロック部４は照明空間内の人体の存否を検出する人感センサからなる。ソケット５は、器具本体３に配設され点灯装置２に電気的に接続され、ランプ７の口金７２が着脱自在に接続される。電源部６はブロック部４へ電源を供給する。点灯装置２は、ランプ７を点灯する点灯回路２１と人体の存否に応じ点灯回路２１を制御する制御部２２を備える。ソケット５の外郭５０には孔部５５が貫設される。ソケット５は外郭５０の少なくとも孔部５５を含む一部を照明空間に露出する。ブロック部４は、一部をソケット５の孔部５５を通じて照明空間に臨ませるように外郭５０内に配設される。【選択図】図１
2011044265.tif 000002
【特許請求の範囲】
【請求項１】
ランプを点灯する点灯装置と、点灯装置を収納する器具本体と、照明空間内の状況を検
出するセンサ、又はワイヤレスリモコンから送信される無線信号を受信する受信部からな
るブロック部と、器具本体に配設されて点灯装置に電気的に接続されるとともにランプの
口金が着脱自在に接続されるソケットと、ブロック部への電源を供給する電源部と、を備
え、
点灯装置は、ランプを点灯する点灯回路と、ブロック部で検出される状況、又は受信さ
れる信号に応じて点灯回路を制御する制御部と、を備え、
ソケットの外郭には孔部が貫設されており、ソケットは、外郭の少なくとも前記孔部を
含む一部を照明空間に対して露出し、
ブロック部は、一部をソケットの前記孔部を通じて照明空間に臨ませるようにしてソケ
ットの外郭内に配設されることを特徴とする照明器具。
【請求項２】
ランプは、熱陰極型の放電ランプであり、
点灯装置は、放電ランプの消灯中に放電ランプのフィラメントを常時予熱する予熱回路
を備え、
電源部は、予熱回路から予熱用に出力される予熱電流を基にブロック部を駆動するため
の電源を生成することを特徴とする請求項１記載の照明器具。
【請求項３】
電源部は、ソケットの外郭内に配設されることを特徴とする請求項１または２記載の照
明器具。
【請求項４】
少なくとも磁性コアに一次巻線及び二次巻線を巻装してなるトランスを備え、一次巻線
はランプ及び点灯回路を含む高圧側の回路に接続され、二次巻線は電源部を含む低圧側の
回路に接続されることを特徴とする請求項１〜３の何れか１項に記載の照明器具。
【発明の詳細な説明】
【技術分野】
【０００１】
本発明は、照明空間内の状況やワイヤレスリモコンの操作に応じてランプを点灯させる
照明器具に関するものである。
【背景技術】
【０００２】
従来より、照明空間内の状況やワイヤレスリモコンの操作に応じてランプを点灯させる
照明器具が種々提供されている。
【０００３】
この種の照明器具は、ランプを点灯する点灯装置と、点灯装置を収納する器具本体と、
器具本体に配設されて点灯装置に電気的に接続されるとともにランプの口金が着脱自在に
接続されるソケットと、これらに加えてブロック部と電源部とを備える。ここでブロック
部は、照明空間内の状況を検出するセンサ、又はワイヤレスリモコンから送信される無線
信号を受信する受信部からなる。電源部は、ブロック部へ電源を供給する。点灯装置は、
ランプを点灯する点灯回路とブロック部での検出状況、又は受信信号に応じて点灯回路を
制御する制御部とを備える。尚、上述のセンサとは、例えば人体から放射される赤外線を
検知する焦電素子を含む回路で構成されて人体の存否を検出する人感センサや、光電変換
を行う受光素子を含む回路で構成されて照明空間内の照度を検出する照度センサである。
【０００４】
このような照明器具は、例えばブロック部が人感センサであれば、照明空間内における
人体の検出・非検出に応じてランプが点灯・消灯するように制御される。また、ブロック
部が照度センサであれば、照明空間内における自然光を含めた照度の検出値に応じて、現
在の照度より明るく（又は暗く）するようにランプの調光率が制御される。そして、ブロ
ック部が受信部であれば、ワイヤレスリモコンの送波面を前記受信部へ向けながらワイヤ
レスリモコンに配設される操作釦を通じてランプの点灯状態を変化させるための操作入力
が受け付けられることで、操作者の思惑通りにランプを点灯させることができる。
【０００５】
また、図９に示される照明器具９０は、特許文献１に記載されるものであり、上述した
照明器具の一例である。器具本体９２は、下面の長手方向に対向する内壁に配設された一
対のソケット（図示せず）にそれぞれ直管型の蛍光ランプ９３が装着され、これら２本の
蛍光ランプ９３の間にはブロック部９１をプラグイン式に接続することが可能な接続部９
４が配設される。そして、ブロック部９１は、その円筒形状に形成される略全体を照明空
間に対して露出するようにして器具本体９２に取り付けられている。
【先行技術文献】
【特許文献】
【０００６】
【特許文献１】特開２００２−１１０３７６号公報
【発明の概要】
【発明が解決しようとする課題】
【０００７】
しかしながら、特許文献１に記載の照明器具９０は、図９に示すように、ブロック部９
１が器具本体９２下面の中心にその略全体を照明空間に対して露出して配設されているた
め、照明空間内にいる人の視界に入り易く、美観を損ねているという問題があった。また
、照明器具９０は、ブロック部９１を接続するための接続部９４が配設された器具本体９
２が不可欠であるため、既存の器具本体に対応することが困難であった。
【０００８】
本発明は上記事由に鑑みて為されたものであり、その目的は、ブロック部が照明空間内
にいる人の視界に入り難く美観を保つことができ、且つ既存の器具本体へ容易に対応する
ことができる照明器具を提供することにある。
【課題を解決するための手段】
【０００９】
請求項１の発明は、上記目的を達成するために、ランプを点灯する点灯装置と、点灯装
置を収納する器具本体と、照明空間内の状況を検出するセンサ、又はワイヤレスリモコン
から送信される無線信号を受信する受信部からなるブロック部と、器具本体に配設されて
点灯装置に電気的に接続されるとともにランプの口金が着脱自在に接続されるソケットと
、ブロック部への電源を供給する電源部と、を備え、点灯装置は、ランプを点灯する点灯
回路と、ブロック部で検出される状況、又は受信される信号に応じて点灯回路を制御する
制御部と、を備え、ソケットの外郭には孔部が貫設されており、ソケットは、外郭の少な
くとも前記孔部を含む一部を照明空間に対して露出し、ブロック部は、一部をソケットの
前記孔部を通じて照明空間に臨ませるようにしてソケットの外郭内に配設されることを特
徴とする。
【００１０】
この発明によれば、ブロック部は、その略全体を照明空間に対して露出して器具本体の
中心に直接配設されるのではなく、器具本体の中心から離れた場所に配置され易いソケッ
トに、その一部をソケットの前記孔部を通じて照明空間に臨ませるようにして配設され、
また、既存の器具本体へブロック部を配設する際にはソケットを取り替えることで対応す
ることができる。従って、ブロック部が照明空間内にいる人の視界に入り難く美観を保つ
ことができ、且つ既存の器具本体へ容易に対応することができる。
【００１１】
請求項２の発明は、請求項１の発明において、ランプは、熱陰極型の放電ランプであり
、点灯装置は、放電ランプの消灯中に放電ランプのフィラメントを常時予熱する予熱回路
を備え、電源部は、予熱回路から予熱用に出力される予熱電流を基にブロック部を駆動す
るための電源を生成することを特徴とする。
【００１２】
この発明によれば、例えばＡＣ１００Ｖの商用電源から電源部及び予熱回路の両方への
給電を兼ねた効率的な回路設計が可能となり、且つ、従来の予熱回路と異なり消灯中も常
時放電ランプを予熱するため、従来の点灯開始直前の先行予熱期間（１秒程度）がなくな
り瞬時に点灯が可能となる。
【００１３】
請求項３の発明は、請求項１または２の発明において、電源部は、ソケットの外郭内に
配設されることを特徴とする。    
【００１４】
この発明によれば、電源部は、ソケットの外郭内に配設されるので、器具本体内でブロ
ック部と電源部とを繋ぐ電源線やＧＮＤ線を配線する必要がなく、ブロック部の検出信号
または受信信号を点灯装置へ出力するための信号線のみを配線すればよい。従って、器具
本体内の配線作業を容易に行うことができる。
【００１５】
請求項４の発明は、請求項１〜３の何れか１項の発明において、少なくとも磁性コアに
一次巻線及び二次巻線を巻装してなるトランスを備え、一次巻線はランプ及び点灯回路を
含む高圧側の回路に接続され、二次巻線は電源部を含む低圧側の回路に接続されることを
特徴とする。
【００１６】
この発明によれば、点灯回路からランプへ出力された電流がトランスの一次側を流れる
のに対して、電源部は、トランスの二次側に誘起される誘起電圧を基にブロック部へ給電
するので、ランプ及び点灯回路を含む高圧側の回路の電気特性に与える影響を抑えること
ができる。
【発明の効果】
【００１７】
本発明では、ブロック部が照明空間内にいる人の視界に入り難く美観を保つことができ
、且つ既存の器具本体へ容易に対応することができるという効果がある。
【図面の簡単な説明】
【００１８】
【図１】本発明の実施形態１の外観図である。
【図２】同上における構成ブロック図である。
【図３】同上におけるソケットの外観図である。
【図４】同上におけるソケットの分解斜視図である。
【図５】同上におけるブロック部の側面図である。
【図６】本発明の実施形態３の回路図である。
【図７】本発明の実施形態４の回路図である。
【図８】本発明の実施形態５の回路図である。
【図９】特許文献１に記載される照明器具の外観図である。
【発明を実施するための形態】
【００１９】
（実施形態１）
以下、本発明の実施形態１について、図１〜図５を参照して説明する。本実施形態の照
明器具１は、図１及び図２に示すように、点灯装置２と、器具本体３と、ブロック部４と
、一対のソケット５と、電源部６（図１には図示せず）とを備え、１本の熱陰極型の放電
ランプたるランプ７が取り付けられる。尚、以下では、ブロック部４を人感センサとして
説明するが、従来技術で述べたとおり、これに限らず照度センサやワイヤレスリモコンの
無線信号を受信する受信部であってもよい。また、以下では、特に断りの無い限り、図１
において上下左右前後方向を規定して説明を行う。
【００２０】
点灯装置２は、図２に示すように、ランプ７を点灯する点灯回路２１と、ブロック部４
で検出される照明空間内の人体の存否に応じて点灯回路２１を制御する制御部２２とを備
える。点灯回路２１は、商用電源８から供給されるＡＣ１００Ｖを全波整流して直流電圧
に変換する整流回路や、一定値の電圧へ昇圧して平滑するチョッパ回路、平滑された直流
電圧を高周波電圧へと変換するインバータ回路等から構成され、一対のソケット５を介し
て当該高周波電圧をランプ７の両端部に配設されるフィラメント７１へ印加する。
【００２１】
制御部２２は、マイクロプロセッサ等から構成され、図２に示すように、ブロック部４
から信号線９を通じて人体検出信号が入力されると、当該人体検出信号に応じた点灯制御
信号を点灯回路２１へ出力する。ここで人体検出信号は、例えばブロック部４にて人が居
ると判定された場合にはＨｉｇｈレベルの信号として制御部２２へ入力され、人が居ない
と判定された場合にはＬｏｗレベルの信号として制御部２２へ入力されてくる。これに対
して制御部２２は、人体検出信号がＨｉｇｈレベルのときランプ７に対して点灯又は調光
率を上げるように点灯回路２１を制御し、人体検出信号がＬｏｗレベルのときランプ７に
対して消灯又は調光率を下げるように点灯回路２１を制御する。そして、上述の点灯回路
２１や制御部２２を構成する回路部品が実装されたプリント配線板（図示せず）が、図１
に示すように、点灯装置２の外郭たる扁平な箱型のケース２０内に収納される。
【００２２】
また、本実施形態の点灯装置２には、図２に示すように、商用電源８から上述の制御部
２２の動作電源（例えば、直流５Ｖ）を生成する電源部６が配設される。ここで電源部６
は、制御部２２以外にも、商用電源８から直接供給されるものではなく例えば点灯回路２
１のインバータ回路のスイッチング周波数を制御するスイッチング回路の電源（例えば１
５Ｖ）を基に、ブロック部４を駆動するための電源（例えば５Ｖ）を生成して、図２に示
すように、電源線１０及びＧＮＤ線１１を介してブロック部４へ供給する。
【００２３】
器具本体３は、図１に示すように、細長平板状の金属板を左右方向から見たときの断面
が所謂逆富士型になるように折曲して形成される。器具本体３上面には左右端部に亘って
下方へ窪んだ凹部３１が配設され、その凹部３１内には上述の点灯装置２が収納される。
器具本体３下面の長手方向両端部には、凹部３１と連通して開口する差込口（図示せず）
が各々形成される。この差込口の周縁部が後述するソケット５の差込溝５６にスライド挿
入することで、ソケット５が器具本体３下面の左右両端部に配設される。そして、器具本
体３上面は、例えば天井面のような施工面に取り付けられる。尚、以下の説明では、図１
の器具本体３下面の左側に配置されるソケット５をソケット５Ｌと称して、下面の右側に
配置されるソケット５をソケット５Ｒと称する。
【００２４】
ソケット５Ｌ，５Ｒは、図１に示すように、各々直管型のランプ７の両端部にある口金
７２が着脱自在に接続されるものである。また、ソケット５Ｌ，５Ｒは、図３及び図４に
示すように、全体が合成樹脂材料により形成され、一面が開口した箱型のボディ５１と、
ボディ５１の開口する一面に被着されるカバー５２とからなる外郭５０を備える。カバー
５２は、図３及び図４に示すように、上部の互いに対向し合う面に各種電線の入線を行う
ための３つの配線挿通孔５２ａが貫設される。また、外郭５０の前後端面上部には前述し
た左右方向に亘って延びる差込溝５６が各々形成される。そして、配線挿通孔５２ａは、
器具本体３の差込口の周縁部がソケット５の差込溝５６にスライド挿入したときに、凹部
３１内に収納される点灯装置２と対向して配置される。
【００２５】
また、カバー５２は、図３及び図４に示すように、下部に丸孔により形成された開口５
２ｂを有し、開口５２ｂ周縁の下端部には案内溝５２ｃが形成される。開口５２ｂには、
絶縁性材料により略円柱状に形成された回転子５４が配設される。ここで回転子５４は、
軸心に沿って挿通口５４ａが貫設されており、ボディ５１の内面に突設される軸部５１ａ
が挿通口５４ａに嵌合して回転自在に保持される。また、回転子５４は、カバー５２の案
内溝５２ｃに連通して、口金７２に突設される２本のランプピン（図示せず）の位置決め
するための上下方向に延びた溝部５４ｂが形成される。外郭５０の内部には、図４に示す
ように、導電性材料により細長板状に形成された一対の導電ばね５３，５３が立設される
。ここで、導電ばね５３，５３は、その下端部が円弧状に曲折されるとともに口金７２の
ランプピンを受けるための受溝５３ａが形成され、互いの受溝５３ａ同士を対向させるよ
うにして配設される。そして、導電ばね５３，５３は、図２及び図４に示すように、器具
本体３の凹部３１を伝って配線挿通孔５２ａより入線されるリード線１２，１２を通じて
点灯回路２１の出力端子と電気的に接続される。
【００２６】
以下、ランプ７の口金７２のソケット５への接続手順について簡単に説明する。先ず、
口金７２の２本のランプピンをカバー５２の案内溝５２ｃを通して回転子５４の溝部５４
ｂに挿通させる。次に、ランプ７の軸心を中心にランプ７を回転させることで、回転子５
４が軸部５１ａの軸心を中心に回転し、２本のランプピンが外郭５０内で各々接触する一
対の導電ばね５３，５３を外側へ撓ませながら摺動する。そして、ランプピンが各々受溝
５３ａに到達して、導電ばね５３，５３が弾性復元力により復元して、ランプピンが受溝
５３ａに嵌合することにより、口金７２がソケット５に電気的及び機械的に接続される。
尚、口金７２は、上述の回転と逆方向にランプ７を回転させて、ランプピンを回転子５４
の溝部５４ｂから案内溝５２ｃを通じて引き抜くことで、ソケット５から容易に取り外す
ことができる。
【００２７】
ブロック部４は、図５に示すように、人体から放射される赤外線を検知する焦電素子や
上述した人体検出信号を生成する信号処理回路が設けられた回路ブロック（図示せず）と
、パッケージ（図示せず）と、ステム（図示せず）と、レンズ部４１とから構成される。
パッケージは、金属材料により箱型に形成され、ノイズに対するシールド効果を高めるた
めに回路ブロックを内部に収納する。ステムは、鋼材によって略円板状に形成され、その
一面側に回路ブロックが載置される。また、回路ブロックと電気的に接続される３本（給
電用、信号出力用、グランド用）の端子ピン４２が、ステムの他面側より外部に向かって
貫通している（図５では２本のみ図示）。
【００２８】
レンズ部４１は、図５に示すように、透光性材料により一端面（図５では下端面）が開
口する略円筒形状に形成されてなり、ステムの一面側から被着されることで、ステムの一
面側に載置される回路ブロック及びパッケージを内部に収納する。また、レンズ部４１は、
先端部４１ａが曲面形状に形成され、周面が開口する一端面側に向かってやや拡開するよ
うに形成される。そして、回路ブロックの焦電素子が配置される面は、パッケージの端面
（図５では上端面）に設けられた図示しない窓孔を介してレンズ部４１の先端部４１ａと
対向して配置される。すなわち、先端部４１ａは、外部から放射される赤外線を屈折させ
て焦電素子が配置される面へ集光させる。
【００２９】
そして、本実施形態の一対のソケット５Ｌ，５Ｒのうちソケット５Ｌは、図１、図２、
及び図４に示すように、その外郭５０の下端部に孔部５５が貫設されており、ブロック部
４は、孔部５５を通じてレンズ部４１の先端部４１ａを照明空間に対して臨ませるように
して外郭５０内に配設される。外郭５０内の孔部５５近傍には、図４に示すように、ブロ
ック部４が実装される基板１３が設けられており、例えば、ブロック部４の３本の端子ピ
ン４２を各々基板１３のスルーホールに挿通させて半田接合される。そして、電源部６か
ら導出される電源線１０及びＧＮＤ線１１、並びに制御部２２に接続される信号線９は、
図２及び図４示すように、器具本体３の凹部３１を伝って配線挿通孔５２ａよりソケット
５Ｌの外郭５０内に入線され、基板１３に形成される導電パターンに接合されて、ブロッ
ク部４の各々対応する端子ピン４２と電気的に接続される。
【００３０】
以下、本実施形態の照明器具１の作用について説明する。従来の特許文献１に記載のブ
ロック部は、その略全体を照明空間に対して露出して器具本体の下面の中心に直接配設さ
れる。これに対して本実施形態のブロック部４は、上述した通り、孔部５５を通じてレン
ズ部４１の先端部４１ａを照明空間に対して臨ませるようにしてソケット５Ｌの外郭５０
内に配設される。特に、本実施形態のソケット５Ｌは、ランプ７が直管型であることから
器具本体３の中心から離れた場所（器具本体３の左端部）に配設される。更に、本実施形
態のブロック部４を既存の器具本体へ配設する際には既存のソケットと本実施形態のソケ
ット５とを取り替えることで対応することができる。従って、ブロック部４が照明空間内
にいる人の視界に入り難く美観を保つことができ、且つ既存の器具本体へ容易に対応する
ことができる。
【００３１】
尚、本実施形態のソケット５Ｌが点灯装置２の低圧出力側に接続されていれば、ソケッ
ト５Ｌ内に入線されて導電ばね５３に接続されるリード線１２は、点灯装置２のグランド
と共通電位である。従って、ブロック部４のグランド用の端子ピン４２とその近傍にある
導電ばね５３とを導通させれば上述のＧＮＤ線１１を配線しなくてもよく、配線作業が容
易となる。また、上述のランプ７は、直管型の蛍光ランプであったが、ソケット５が外郭
５０の孔部５５を照明空間に対して露出するように配置されるものであれば、この他にも
環状の二重管からなる蛍光ランプや、無電極放電ランプ、白熱電球であってもよい。
【００３２】
ところで、本実施形態の電源部６は、上述した通り、ランプ７が点灯、又は調光点灯し
ているとき、例えば点灯回路２１のインバータ回路のスイッチング周波数を制御するスイ
ッチング回路の電源を基にブロック部４を駆動するための電源を生成している。そして、
ランプ７が消灯しているときは前記電源からの供給が不可能となるため、例えばＡＣ１０
０Ｖの商用電源８から直接供給される交流電圧を基にブロック部４を駆動するための電源
を生成している。しかし、例えば照明空間内に人が居なくなっても点灯から消灯へと切り
替えずに、調光率を１０％程度に下げて調光点灯し続けるものであれば、点灯回路２１の
インバータ回路は常時動作することとなり、商用電源８から電源部６を通じてブロック部
４へ供給するための回路設計を省くことができる。
【００３３】
（実施形態２）
以下、本発明の実施形態２について説明する。尚、本実施形態は、基本的な構成が実施
形態１と共通であるので、共通の構成要素には、同一の符号を付して説明を省略する。
【００３４】
本実施形態の点灯装置２は、ランプ７が熱陰極型の放電ランプである場合、ランプ７の
消灯中にフィラメント７１を常時予熱する予熱回路（図示せず）を備える点に特徴がある
。
【００３５】
一般的に、ブロック部４にて人体が検出されて制御部２２によりランプ７を消灯から点
灯へと切り替える制御が行われても、直ぐには点灯せずにフィラメント７１が十分な熱電
子を放出するまで時間を要する。これに対して、点灯装置２内に予熱回路を設けて、ラン
プ７の点灯開始直前にフィラメント７１が先行予熱（１秒程度）されることで、ランプ７
を点灯させるまでの時間を短縮することができる。また、このような予熱回路は通常、イ
ンバータ回路が動作しているときのみ予熱する。
【００３６】
ところで、点灯装置２内の電源部６は、実施形態１で述べた通り、ランプ７が点灯、又
は調光点灯しているとき、点灯回路２１のインバータ回路のスイッチング周波数を制御す
るスイッチング回路の電源を基にブロック部４を駆動するための電源を生成している。そ
して、ランプ７が消灯しているときには、前記電源からの供給が不可能となるため、ＡＣ
１００Ｖの商用電源８から直接供給される交流電圧を基にブロック部４を駆動するための
電源を生成している。しかし、電源部６への給電だけのためにこのような回路を設計する
のは非効率的である。
【００３７】
そこで、点灯装置２内に、商用電源８から直接給電される予熱回路を設ける。そして、
前記予熱回路は、上述の従来の予熱回路とは異なり、ランプ７の消灯中もランプ７を点灯
させない程度の低い電圧を常時フィラメント７１に印加して予熱する。そして、前記予熱
回路から予熱用に出力される予熱電流を電源部６へと供給し、電源部６は、当該予熱電流
を基にブロック部４を駆動するための電源を生成する。すなわち、ＡＣ１００Ｖの商用電
源８から電源部６及び予熱回路の両方への給電を兼ねた効率的な回路設計が可能となり、
且つ、従来の予熱回路と異なり消灯中も常時ランプ７を予熱するため、従来の点灯開始直
前の先行予熱する１秒程度の期間がなくなり、ランプ７を瞬時に点灯することが可能とな
る。尚、予熱回路の回路構成については周知の技術であるのでここでの説明は省略する。
【００３８】
（実施形態３）
以下、本発明の実施形態３について、図６を参照して説明する。尚、本実施形態は、基
本的な構成が実施形態２と共通であるので、共通の構成要素には、同一の符号を付して説
明を省略する。
【００３９】
本実施形態の照明器具１は、図６に示すように、電源部６が点灯装置２内ではなく、点
灯装置２の低圧出力側に接続されるソケット５Ｌの外郭５０内に配設される点に特徴があ
る。
【００４０】
電源部６は、図６に示すように、ダイオードＤ１，Ｄ２、コンデンサＣ１、電解コンデ
ンサＣ２、抵抗器Ｒ、及びツェナーダイオードＺＤから構成され、これらはソケット５Ｌ
の外郭５０内の基板１３に実装される。ここで、ランプ７が点灯中のときリード線１２に
は点灯回路２１から出力されるランプ７を点灯させるための高周波電流が流れ、ランプ７
が消灯中のときリード線１２には予熱回路から出力される予熱電流が流れる。そして、こ
れらの電流はダイオードＤ１，Ｄ２で半波整流され電解コンデンサＣ２で充電されて、ツ
ェナーダイオードＺＤにより定電圧化されてブロック部４に供給される。すなわち、本実
施形態の照明器具１は、実施形態１及び２の様に器具本体３内からソケット５Ｌに亘って
ブロック部４と電源部６とを繋ぐ電源線１０やＧＮＤ線１１を配線する必要がなく、ブロ
ック部４で検出される検出信号を点灯装置２の制御部２２へ出力するための信号線９のみ
を配線すればよい。従って、器具本体１内の配線作業を容易にすることができる。但し、
実施形態１及び２の電源部６は、ブロック部４への給電以外に制御部２２への給電も行っ
ていたので、電源部６をソケット５の外郭５０内に配設する本実施形態は、制御部２２へ
の電源供給手段（図示せず）が点灯装置２内に別途設けられている。
【００４１】
尚、本実施形態の電源部６は、上述の通り、ランプ７が消灯中には実施形態２の予熱回
路より出力される予熱電流を基にブロック部４を駆動するための電源を生成している。し
かし、この限りではなく、実施形態１で述べた様に照明器具１が照明空間内に人が居なく
なっても調光率を１０％程度に下げて調光点灯し続けるものであれば、電源部６は、たと
え予熱回路が配設されていなくても常時点灯回路２１から出力されるランプ７を点灯させ
るための高周波電流のみを基にブロック部４を駆動するための電源を生成すればよい。
【００４２】
ところで、上述したブロック部４、並びに電源部６がソケット５の外郭５０内に配設さ
れると、従来のソケットに比べてその外郭５０の外形が大型化する恐れがある。また、既
存の器具本体の長手寸法に対してその両端部のソケットに装着されるランプ寸法は予め決
められている。従って、大型化したソケット５を既存の照明器具のソケットと交換して取
り付けると、ソケット５，５間の長さ寸法が従来のものより短くなり、従来のランプが装
着できなくなって、結局は器具本体ごと交換しなくてはならず非常にコストがかかってし
まう。
【００４３】
また、従来より多くの照明器具にＦＨＦ３２型の蛍光ランプが採用されている。しかし
、例えば既存の器具本体を共用してＦＨＦ３２型の蛍光ランプと、ＦＨＦ６３型の蛍光ラ
ンプとを取り替え作業を行おうとしても、ＦＨＦ６３型の蛍光ランプの方がその長手寸法
が約１２ｍｍ短く、一方の口金をソケットに接続するとその分だけ他方の口金からソケッ
トまでの間に隙間ができ装着できないことから、器具本体ごと交換しなくてはならないと
いう問題もある。
【００４４】
そこで、本実施形態のソケット５の外郭５０の外形寸法を、従来のソケットの外形寸法
よりもランプの長手方向に約１２ｍｍ大きく設定して、ソケット５をＦＨＦ３２型の蛍光
ランプが装着されていた既存の器具本体に取り付けることで、既存の器具本体の長手方向
に対して、ソケット５，５間の長さ寸法とＦＨＦ６３型の蛍光ランプの長手寸法とが一致
し、ＦＨＦ６３型の蛍光ランプへ取り替えることができる。すなわち、本実施形態の大型
化したソケット５の取り付けと前記取り替えの両方を既存の器具本体のまま行うことがで
きてコストを削減することができる。
【００４５】
（実施形態４）
以下、本発明の実施形態４について、図７を参照して説明する。尚、本実施形態は、基
本的な構成が実施形態３と共通であるので、共通の構成要素には、同一の符号を付して説
明を省略する。
【００４６】
本実施形態の照明器具１は、図７に示すように、磁性コアに一次巻線及び二次巻線を巻
装してなるトランスＴを備える点に特徴がある。
【００４７】
トランスＴは、図７に示すように、一次巻線がランプ７及び点灯回路２１を含む高圧側
の回路に接続され、二次巻線は電源部６を含む低圧側の回路に接続される。電源部６は、
図７に示すように、ダイオードブリッジＤＢ、電解コンデンサＣ２、２個の抵抗器Ｒ１，
Ｒ２、及びツェナーダイオードＺＤから構成される。そして、リード線１２を流れる予熱
電流（又はランプ７を点灯させるための高周波電流）は、トランスＴの一次側を流れるの
に対して、電源部６は、トランスＴの二次側に誘起される誘起電圧を基にブロック部４へ
給電する。すなわち、ダイオードブリッジＤＢで半波整流され電解コンデンサＣ２で充電
されて、ツェナーダイオードＺＤにより定電圧化されてブロック部４に供給される。従っ
て、ダイオードＤ１がランプ７と直列に接続される実施形態３の照明器具１よりも、ラン
プ７及び点灯回路２１を含む高圧側の回路の電気特性に与える影響を抑えることができる
。
【００４８】
（実施形態５）
以下、本発明の実施形態５について、図８を参照して説明する。尚、本実施形態は、基
本的な構成が実施形態４と共通であるので、共通の構成要素には、同一の符号を付して説
明を省略する。
【００４９】
本実施形態の照明器具１は、図８に示すように、電界効果トランジスタ１４（以下、Ｆ
ＥＴ１４と略称する）を備える点に特徴がある。
【００５０】
以下、ＦＥＴ１４を備える本実施形態の動作について説明する。先ず、ブロック部４に
て人体を検出していないとき、ＦＥＴ１４はオン状態となっている。そして、ブロック部
４にて人体を検出すると、ＦＥＴ１４はオフ状態となる。ここで、ＦＥＴ１４と並列に接
続されるコンデンサＣ３は、フィラメント７１に対して直列に接続されており、リード線
１２を流れる予熱電流（又は高周波電流）の大きさは一時的に変化する。一方、点灯装置
２内には、この予熱電流（又は高周波電流）の変化量を検出する回路（図示せず）が配設
されており、前記回路にてその変化量が検出されると、制御部２２は人体の検出時と同様
にランプ７を点灯するように制御する。すなわち、ブロック部４の人体の検出・非検出の
情報をリード線１２に流れる予熱電流（又は高周波電流）の変化を通じて制御部２２に伝
えている。従って、本実施形態の照明器具１は、図８に示すように、ブロック部４と制御
部２２とを接続する信号線９を配線しなくてもよく、配線作業をより容易にすることがで
きる。
【００５１】
ところで、ＦＥＴ１４はフィラメント７１に対して直列に接続されているが、この他に
も例えばフィラメント７１に対して並列に接続されて、ブロック部４にて人体を検出して
いないときオフ状態とし、人体を検出すればオン状態とすることで、人体の検出時にフィ
ラメント７１に流れる電流の変化量を点灯装置２内の前記回路で検出してもよい。
【符号の説明】
【００５２】
１  照明器具
２  点灯装置
３  器具本体
４  ブロック部
５  ソケット
６  電源部
７  ランプ
２１  点灯回路
２２  制御部
５０  外郭
５５  孔部
７２  口金
【図１】
2011044265.tif 000003
【図２】
2011044265.tif 000004
【図３】
2011044265.tif 000005
【図４】
2011044265.tif 000006
【図５】
2011044265.tif 000007
【図６】
2011044265.tif 000008
【図７】
2011044265.tif 000009
【図８】
2011044265.tif 000010
【図９】
2011044265.tif 000011